(57)【要約】  タンク状のハウジングを含み、そのハウジング内部に固定されるろ過アセンブリを収納し、かつ、当該原流体の流入ポートとろ過された流体の流出ポートとの間にその範囲が及ぶろ過システム。ろ過アセンブリは、ハウジン内部に配備される主パイプであって固定された運転位置と操作位置との間に構成される主パイプの上に固定される１つ以上のフィルタユニットを含む。ハウジングは、その側壁に、少なくとも１つの再シール可能な開口であって、それを通して操作位置においてフィルタユニットを保守作業する開口を含むように構成される。【選択図】図２Ｆ
2013545609.tif 000002
【特許請求の範囲】
【請求項１】
タンク状のハウジングを含み、前記ハウジング内部に固定されるろ過アセンブリを収納し、かつ、当該原流体の流入ポートとろ過された流体の流出ポートとの間にその範囲が及ぶろ過システムにおいて、前記ろ過アセンブリが、前記ハウジン内部に配備される主パイプであって固定された運転位置と操作位置との間に構成される主パイプの上に固定される１つ以上のフィルタユニットを含むこと、および、前記ハウジングが、その側壁に、少なくとも１つの再シール可能な開口であって、それを通して前記操作位置において前記フィルタユニットを保守作業する開口を含むように構成されること、を特徴とするろ過システム。
【請求項２】
請求項１に記載のろ過システムにおいて、前記主パイプが、前記ハウジングの頂部部分における開口から、その縦軸の回りに操作可能である、ことを特徴とするろ過システム。
【請求項３】
請求項２に記載のろ過システムにおいて、前記主パイプが、前記ハウジングの側壁の少なくとも１つのシール可能な開口から、前記主パイプ上に装着されるすべての前記フィルタユニットへのアクセスが容易になるように、前記縦軸の回りに回転可能である、ことを特徴とするろ過システム。
【請求項４】
請求項１に記載のろ過システムにおいて、前記主パイプが、前記フィルタユニットのみを通して前記ハウジング内部の外部空間と流体連絡する内部の制限された空間を画定する、ことを特徴とするろ過システム。
【請求項５】
請求項４に記載のろ過システムにおいて、前記主パイプの底部部分が、前記ハウジングの受入れ部分に、シール方式であるが取り外し可能に固定される、ことを特徴とするろ過システム。
【請求項６】
請求項１に記載のろ過システムにおいて、前記主パイプが、それに複数のフィルタユニットを取り外し可能に固定し得るように構成される、ことを特徴とするろ過システム。
【請求項７】
請求項６に記載のろ過システムにおいて、前記フィルタユニットが前記主パイプから半径方向に延びる、ことを特徴とするろ過システム。
【請求項８】
請求項１に記載のろ過システムにおいて、前記主パイプが、前記ハウジングの頂部部分における開口から、その縦軸の回りに軸方向変位および回転変位し得るように構成され、かつ、前記運転位置において前記ハウジングにシール方式で嵌合接合されるように固定される、ことを特徴とするろ過システム。
【請求項９】
請求項１に記載のろ過システムにおいて、前記主パイプが、その頂部部分において、昇降用およびその縦軸の回りの回転用としての操作システムに取り外し可能に取り付けられるように構成される、ことを特徴とするろ過システム。
【請求項１０】
請求項１に記載のろ過システムにおいて、前記ハウジングの側壁における少なくとも１つのシール可能な開口が、フィルタユニットの保守作業を容易にするために、再開放およびシール方式において閉止されるように構成される、ことを特徴とするろ過システム。
【請求項１１】
請求項１に記載のろ過システムにおいて、海洋船舶におけるバラストのろ過システムとして用いられる、ことを特徴とするろ過システム。
【請求項１２】
請求項１に記載のろ過システムにおいて、前記１つ以上のフィルタユニットが、前記主パイプに、ネジ込みタイプの継手によって、シール方式において取り外し可能に取り付けられる、ことを特徴とするろ過システム。
【請求項１３】
管状要素を本体にネジ込み連結するための嵌合接合機構において、前記管状要素が、その連結端部において、外ネジ加工されたセグメントおよびそのネジ加工されたセグメントの上部に外向きに延びる肩部を有するように構成される円筒形の本体と、その連結端部の内部に受け入れられるシール支持リングとを含み、前記本体が、前記外ネジ加工部に合致する内ネジ加工部および本体の肩部を有する開口を含むように構成され、かつ、そのネジ加工部からシート部分が内向きに突き出ており、それによって、前記管状要素を前記本体にネジ込み固定すると、前記シール支持リングの前記シート部分に対するシール係合と、前記肩部の前記本体の肩部に対する当接とを伴うその間のネジ込み連結が生じる、ことを特徴とする嵌合接合機構。
【請求項１４】
請求項１３に記載の嵌合接合機構において、シール部材が前記シール支持リングによって保持される、ことを特徴とする嵌合接合機構。
【請求項１５】
請求項１３に記載の嵌合接合機構において、前記本体の位置決めセグメントの少なくとも円錐形の表面の上部に円錐形の緊締リングが設けられ、前記円錐形の緊締リングは、前記管状要素の肩部の少なくとも一部分に当接し、それによって、前記管状要素を前記本体にネジ込み固定すると、前記円錐形の緊締リングが前記位置決めセグメントの円錐形の表面に強く押し付けられることになり、その結果、前記円錐形の緊締リングが拡大されて、前記管状要素および前記本体間の固定されたシール係合が形成される、ことを特徴とする嵌合接合機構。
【請求項１６】
請求項１３に記載の嵌合接合機構において、前記管状要素がフィルタユニットであり、前記本体がろ過システムの主パイプであること、および、前記嵌合接合機構が、前記フィルタユニットを前記主パイプに取り外し可能に取り付けるために用いられること、を特徴とする嵌合接合機構。
【発明の詳細な説明】
【技術分野】
【０００１】
本開示の対象物はろ過システムおよびそのアセンブリに関する。さらに具体的には、本開示の対象物は、その保守作業のために高い接近可能性を提供するようなろ過システムに関する。
【０００２】
本開示の対象物は、さらに、そのようなろ過システムへのフィルタユニットの嵌合接合に関する。
【０００３】
本発明の別の態様によれば、本開示の対象物は、さらに、管状要素を別の本体にネジ込み連結するための嵌合接合機構に関する。
【背景技術】
【０００４】
いかなるろ過システムも、しかし特に、著しく大容量の液体を処理するろ過システム、特に高濃度に汚染した液体（例えば、下水、工業廃水など）を処理するろ過システムは、周期的な保守作業を受けなければならない。
【０００５】
例えば、ある水域からバラストタンクに取り入れられ、別の水域に排水されるバラスト水は水生生物の侵入種を導入する可能性がある。バラストタンクからの水の取り入れは、環境的および経済的な損害をもたらす種の導入の原因になってきた。このため、多くの国は、その水域内に入港またはその水域内で貿易する船舶に対して、バラスト水の管理手順を既に実施してきた。特に、この手順は、バラスト水をバラストタンク内に汲み込む際にバラスト水をろ過することを要求している。
【０００６】
従って、容易に利用可能なかつ簡易な保守作業用、しかも狭い空間における保守作業用として構成されるろ過システムであって、それへのアクセスが限定されるようなろ過システムを提供する必要性が存在する。
【０００７】
ろ過システムを保守作業するには、その中に受け入れられる１つ以上のフィルタユニットを取り扱うことが必要である。従って、フィルタユニット間を簡易ではあるがシール方式で連結するために、１つ以上のフィルタユニットとフィルタハウジングとの間の適切な接続構成が必要になる。
【０００８】
このような一構成が米国特許出願公開第２００７／００２９２４９号明細書に開示されている。この明細書は特に灌漑施設用の液体ろ過装置を特許請求している。この装置は、流入ポートおよび流出ポートを備えたハウジングと、ハウジング内部の中心部に装着されるコア部材であって、その一方の軸端部に、そのコア部材を流入ポートに隣接かつ連絡してハウジングに装着するためのオス型のネジ山を付属した接合リングを含むコア部材と、ディスク型のフィルタ部材であって、次のような態様、すなわち、流入ポートから流入する水が半径方向においてフィルタ部材に流入して流出ポートから排出され、逆のフィルタフラッシング流れサイクルの間はその逆になるような態様において、コア部材によって支持されるディスク型のフィルタ部材と、コア部材に装着されるピストンアセンブリであって、ピストンとピストンに連結される変位可能部材とを含むと共に、そのもう一方の軸側においてフィルタ部材に当接するピストンアセンブリとを含んでおり、さらに、この装置においては、コア部材の装着部分が、前記オス型のネジ山に適合するメス型ネジ部の分割リングと、前記分割リングを包囲しかつハウジングに固定装着される円形の先細コーン形状のトラフとを含み、その構成は、一緒にネジ込んだ場合、分割リングが接合リングに向かって引き寄せられ、従って、トラフのコーン形状の壁面に対して自己緊締されるようになっている、ことを特徴としている。
【発明の概要】
【０００９】
本開示の対象物の第１態様によれば、次のようなろ過システム、すなわち、タンク状のハウジングを含み、そのハウジング内部に固定されるろ過アセンブリを収納し、かつ、当該原流体の流入ポートとろ過された流体の流出ポートとの間にその範囲が及ぶろ過システムが開示される。この場合、前記ろ過アセンブリは、ハウジング内部に配備される主パイプであって固定された運転位置と操作位置との間に構成される主パイプの上に固定される１つ以上のフィルタユニットを含み、さらに、前記ハウジングは、その側壁に、少なくとも１つの再シール可能な開口であって、それを通して操作位置においてフィルタユニットを保守作業する開口を含むように構成される。
【００１０】
本明細書および請求項においてフィルタユニットと関連して用いる「保守作業（する）／保守作業される（ｓｅｒｖｉｃｅ／ｓｅｒｖｉｃｅｄ）」という用語は、主パイプの上へのフィルタユニットの導入および装着と、フィルタユニットの取り外しと、例えば清浄化、部品の交換などのそのメンテナンスとを含む。
【００１１】
ろ過システムを通過する流体の流路は、原流体の流入ポートから、主パイプ内部の制限された空間内に延びることが可能であり、流体は、１つ以上のフィルタユニットによってろ過され、ろ過された流体の流出ポートから流出する。別の逆の構成によれば、ろ過システムを通過する流体の流路は、原流体の流入ポートからハウジングの内部の空間に延び、流体は、１つ以上のフィルタユニットによって主パイプ内部の制限された空間内にろ過され、ろ過された流体の流出ポートから流出する。
【００１２】
主パイプは、ハウジングの頂部部分における開口から、少なくともその縦軸の回りに操作可能であり、また、任意選択的に、その縦軸の回りに回転可能であって、ハウジングの側壁の少なくとも１つのシール可能な開口から主パイプ上に装着されるすべてのフィルタユニットへのアクセスが容易になるようになっている。
【００１３】
主パイプは、前記フィルタユニットのみを通してハウジング内部の外部空間と流体連絡する内部の制限された空間を画定する。この場合、前記主パイプの底部部分は、ハウジングの受入れ部分に、シール方式であるが取り外し可能に固定される。「底部（ｂｏｔｔｏｍ）」という用語は、主パイプを操作し得るハウジングの開口から離れた側の主パイプの端部を指す。
【００１４】
主パイプは、それに複数のフィルタユニットを取り外し可能に固定し得るように構成される。特定のデザインによっては、前記フィルタユニットは主パイプから半径方向に延びる。
【００１５】
主パイプは、ハウジングの頂部部分における開口から、その縦軸の回りに軸方向変位および回転変位し得るように構成され、かつ、運転位置においてハウジングにシール方式で嵌合接合されるように構成される。
【００１６】
主パイプは、さらに、その頂部部分において、昇降用およびその縦軸の回りの回転用としての操作システムに取り外し可能に取り付けられるように構成される。
【００１７】
ハウジングの側壁における少なくとも１つのシール可能な開口は、フィルタユニットの保守作業を容易にするために、再開放およびシール方式において閉止されるように構成される。すなわち、閉止部材は、開口をシール方式および耐圧方式で再閉止するように構成される。
【００１８】
特定の一例によれば、ろ過システムが海洋船舶におけるバラストのろ過システムとして用いられる。
【００１９】
以下の例におけるフィルタユニットは、任意のタイプのろ過媒体、例えば、ろ過ディスクの積層体、ろ過スクリーン（すなわち微細なすりつぶし材料）、ネジ山タイプのフィルタ、パイルタイプのフィルタなどのものとすることができる。さらに、異なるタイプのフィルタユニットの組合せを単一ハウジングの中に適用することが可能である。
【００２０】
フィルタユニットは、主パイプに、ネジ込みタイプの継手または差し込みタイプの継手（後者はネジ込みタイプ継手の特別な場合である）によって、シール方式において取り外し可能に取り付けられる。
【００２１】
また、流体は、その目的、汚染の程度、粒子サイズ、粘度、または他の任意のパラメータに関係なく、任意の流動可能な物資、すなわち気体または液体として定義される。すなわち、本明細書および請求項においては、流体という用語は、その最も広義の意味に用いられる。
【００２２】
ハウジングの縦軸は、垂直に、水平に、あるいはそうでなければ傾斜して延びることが可能である。
【００２３】
原流体は、ろ過されるべき流体（気体または液体）を指し、リンス流体は、フィルタユニットまたはろ過媒体またはフィルタアセンブリの他の構成要素をリンス／フラッシングするのに用いられる流体（気体または液体）を指す。いくつかの場合には、ろ過された流体がリンス流体として使用できることが注記される。ろ過された流体は、ろ過プロセス後に、すなわち粒子および汚染物質の除去後に得られる流体／液体を指す。
【００２４】
各流入ポートおよび流出ポートは、１つより多い機能に対して用いることができる。例えば、あるポートは一局面においては原流体の流入ポートとして機能することができ、別の局面においては、廃水／リンス液流出ポートとして機能することができる。
【００２５】
開示された対象物は、その別の態様によって、操作装置と、主パイプに対する保守作業を簡単化するためにハウジング内部において主パイプを動かす方法とに関する。
【００２６】
一例によれば、操作装置は、タンク状のハウジングの外面の上部に載るように構成されるフレームと、主パイプの頂部部分に連結するための係合ユニットと、主パイプをハウジングに対して少なくとも昇降および／または回転させるための操作機構とを含む。
【００２７】
そのフレームは、３本以上の支持脚を含む三脚状の構成にすることができる。
【００２８】
本開示の対象物の別の態様によれば、管状要素を別の本体にネジ込み連結するための嵌合接合機構が提供される。
【００２９】
特定の一例によれば、その嵌合接合機構は、フィルタユニットをフィルタアセンブリの主パイプに取り外し可能に取り付けるために用いられる。
【００３０】
特定の一例によれば、管状要素を本体にネジ込み連結するための嵌合接合機構が提供される。この場合、前記管状要素は、その連結端部において、外ネジ加工されたセグメントおよび前記ネジ加工されたセグメントの上部に外向きに延びる肩部を有するように構成される円筒形の本体と、その連結端部の内部に受け入れられるシール支持リングとを含み、前記本体は、前記外ネジ加工部に合致する内ネジ加工部を有する開口を含む軸方向に突き出るリングを有するように構成され、かつ、そのネジ加工部からシート部分が内向きに突き出ており、これによって、前記管状要素を前記本体にネジ込み固定すると、シール支持リングの前記シート部分に対するシール係合と、前記肩部の前記本体の肩部に対する当接とを伴うその間のネジ込み連結が生じる。
【００３１】
特定の一形態によれば、シール支持リングがシールリングを収納する。
【００３２】
嵌合接合機構の一変更形態によれば、本体の位置決めセグメントの少なくとも円錐形の表面の上部に円錐形の緊締リングが設けられる。前記円錐形の緊締リングは管状要素の肩部の少なくとも一部分に当接し、それによって、前記管状要素を前記本体にネジ込み固定すると、円錐形の緊締リングが位置決めセグメントの円錐形の表面に強く押し付けられることになり、その結果、円錐形の緊締リングが拡大されて、管状要素および本体間の固定されたシール係合が形成される。
【００３３】
本開示の対象物の一実施形態によれば、嵌合接合機構が締結装置を有するように構成され、それによって、管状要素の本体からの自然発生的な（意図せざる）締結弛緩（開放）を防止する。
【００３４】
特定の例によれば、本体の位置決めセグメントが１つ以上の締結スロットを有するように構成され、かつ、締結リングが少なくとも１つの締結ピン（突起）を有するように構成される。この構成は、管状要素を本体にネジ込み固定すると、前記締結スロットの内部において、締結ピンの締結係合が生じるような構成である。
【００３５】
しかし、締結スロットを締結リング上に構成し、それに対応して、締結ピンを本体の位置決めセグメント上に構成することも可能であることが分かる。
【００３６】
１つ以上の締結スロットおよび少なくとも１つの締結ピンは半径方向に配置される。
【００３７】
さらに別の一例によれば、本体の位置決めセグメントが、それを貫通して半径方向に突き出る１つ以上の締結ピンを含み、この締結ピンは、引き抜かれた開放位置と押し込まれた締結位置との間に軸方向変位するように構成され、それによって、管状要素の円筒形の本体を拘束して、それが回転するのを防止する。
【００３８】
さらに一締結形態によれば、本体の位置決めセグメントが、内向きにテーパ化される壁面部分を有するように構成され、内ネジ加工された円錐形のリングが本体のシート部分の上に載っている。これによって、管状要素を本体にネジ込み固定すると、管状要素が本体に向かって軸方向に進行する結果になり、軸方向の変位が生じて、管状要素と本体との間の連結を緊密化するように作用する半径方向に内向き方向の圧縮力の成分が発生する。
【００３９】
さらに別の締結形態は、円錐形の外面を有するように構成される１つの円筒形のアンカーリングと、１つ以上のスプリング締結部材とを含む。このスプリング締結部材は、非圧縮状態において半径方向の内向きに曲げられている。外側の円錐形の壁面の形状に合致する円錐形状を有する支持リングが、円錐形の外面の上に装着される。この場合において、管状要素を本体と完全固定状態にネジ込み固定すると、アーチ状のスプリングの歯が直線位置に曲げられる結果になり、その際、スプリングの歯が半径方向の外向きに圧縮されて、下部円筒部に内向きの力が印加され、これによって、円筒形のインサートおよび堅固に結合された管状要素が安全な状態に固定される。
【図面の簡単な説明】
【００４０】
本開示の対象物を理解し、かつ、それを実際にどのように実施すればよいかを見るために、以下、添付の図面を参照して、具体的な例を非制限的な単なる例として説明する。
【００４１】
【図１】図１は、本開示の対象物の例によるろ過システムアレイの斜視図である。
【図２Ａ】図２Ａは、ろ過システムの主パイプ上に複数のフィルタユニットを装着する連続ステップの第１ステップを示す。
【図２Ｂ】図２Ｂは、フィルタユニット装着ステップの第２ステップを示す。
【図２Ｃ】図２Ｃは、フィルタユニット装着ステップの第３ステップを示す。
【図２Ｄ】図２Ｄは、フィルタユニット装着ステップの第４ステップを示す。
【図２Ｅ】図２Ｅは、フィルタユニット装着ステップの第５ステップを示す。
【図２Ｆ】図２Ｆは、フィルタユニット装着ステップの第６ステップを示す。
【図３】図３は、主パイプと、ハウジングの開口から主パイプ上に装着されるフィルタユニットとの拡大図である。
【図４】図４は、ハウジング内部における主パイプの動きを表す模式図である。
【図５】図５は、本開示の対象物によるろ過システムの流体流れの一例を表す模式図である。
【図６Ａ】図６Ａは、主パイプをハウジングの底部部分にシール方式で固定する形態の一例である。
【図６Ｂ】図６Ｂは、主パイプをハウジングの底部部分にシール方式で固定する形態の一例である。
【図６Ｃ】図６Ｃは、主パイプをハウジングの底部部分にシール方式で固定する形態の一例である。
【図６Ｄ】図６Ｄは、主パイプをハウジングの底部部分にシール方式で固定する形態の一例である。
【図６Ｅ】図６Ｅは、主パイプをハウジングの底部部分にシール方式で固定する形態の一例である。
【図６Ｆ】図６Ｆは、主パイプをハウジングの底部部分にシール方式で固定する形態の一例である。
【図６Ｇ】図６Ｇは、主パイプをハウジングの底部部分にシール方式で固定する形態の一例である。
【図７Ａ】図７Ａは、主パイプをハウジングの頂部部分において受入れ部分にシール方式で装着する形態の一例である。
【図７Ｂ】図７Ｂは、主パイプをハウジングの頂部部分において受入れ部分にシール方式で装着する形態の異なる一例である。
【図７Ｃ】図７Ｃは、主パイプをハウジングの頂部部分において受入れ部分にシール方式で装着する形態のさらに異なる一例である。
【図７Ｄ】図７Ｄは、主パイプをハウジングの頂部部分において受入れ部分にシール方式で装着する形態のさらに異なる一例である。
【図８Ａ】図８Ａは、フィルタユニットおよびフィルタ基部の間の結合の部分係合状態における縦断面図である。
【図８Ｂ】図８Ｂは、図８Ａの結合の完全固定状態における縦断面図である。
【図９Ａ】図９Ａは、機械的緊締機構を備えたフィルタユニットおよびフィルタ基部の間の結合の別の例の、部分係合状態における縦断面図である。
【図９Ｂ】図９Ｂは、図９Ａの機構の完全固定状態における縦断面図である。
【図１０Ａ】図１０Ａは、機械的緊締機構を備えたフィルタユニットおよびフィルタ基部の間の結合のさらに別の例の、部分係合状態における縦断面図である。
【図１０Ｂ】図１０Ｂは、図１０Ａの機構の完全固定状態における縦断面図である。
【図１０Ｃ】図１０Ｃは、図１０Ａの機構のフィルタ基部の平面図である。
【図１０Ｄ】図１０Ｄは、図１０Ａの機構の締結ピンリングの底面図である。
【図１１Ａ】図１１Ａは、機械的緊締機構を備えたフィルタユニットおよびフィルタ基部の間の結合のさらに別の例の、部分係合状態における縦断面図である。
【図１１Ｂ】図１１Ｂは、図１０Ａの機構の完全固定状態における断面図である。
【図１２Ａ】図１２Ａは、フィルタユニットおよびフィルタ基部の間のさらに別の結合の部分係合状態における縦断面図である。
【図１２Ｂ】図１２Ｂは、図１２Ａの機構の完全固定状態における縦断面図である。
【図１３Ａ】図１３Ａは、ろ過システムのハウジングの上部に装着される主パイプ操作装置の側面図である。
【図１３Ｂ】図１３Ｂは、図１３Ａの頂面図である。
【発明を実施するための形態】
【００４２】
最初に、全体として符号１０で示されるろ過システムアレイを表す図１を参照する。これは、例えば、海洋船舶（図示されていない）において用いられるタイプのバラスト水ろ過システムであり、比較的短い時間内で大量の水をろ過するように構成される。このようなろ過システムアレイは、多くの場合、時には改造取り付けの場合のように、海洋船舶内部における空間限定された形態において据え付けられ、従って、狭い空間のためにろ過システムへのアクセスが制限され、据え付けおよび周期的な保守作業が難渋することが多いことが分かる。図示の例においては、ろ過システムアレイ１０は、４個のろ過システム１２を含み、この場合、ろ過システムは、それぞれ、原流体供給ライン１６に連結される原流体流入ポート１４と、ろ過された流体のライン２０に連結されるろ過流体流出ポート１８とを有するように構成される。同様に、このろ過システムは、リンス流体供給ラインおよび排水ライン２４と流体連絡するリンス流体ポート２２を有するように構成される。
【００４３】
しかし、流入ポートおよび流出ポートの形態は、位置およびそれらの機能に関する限り異なることができること、すなわち、それぞれの流入ポートおよび流出ポートは１つ以上の機能用として使用し得ることが分かる。例えば、あるポートは一局面においては原流体の流入ポートとして機能することができ、別の局面においては、廃水／リンス液流出ポートとして機能することができる。
【００４４】
ここで、本開示の対象物によるろ過システム１０を表す図２Ａ〜図２Ｆをも参照する。ろ過システム１０は円筒形のタンク状ハウジング３０を含み、このハウジング３０は、ハウジング３０の側壁に形成される原流体の流入ポート１４と、ハウジング３０の底部部分に同軸に形成されるろ過流体の流出ポート１８とを有するように構成される。ろ過流体の流出ポート１８は、ハウジング３０の最下端部分において管状セグメント２１を貫通して延びており、ろ過流体捕集管への接続およびろ過システムの固定を簡単化するフランジ部分２３を有するように構成される。
【００４５】
ハウジング３０の頂部部分においては、頂部開口３６を有する円筒形のネック部分３４が形成され、このネック部分３４は、以下に述べるように主パイプ３８を受け入れるように調整される。ネック部分３４には、締結装置、すなわちフランジ４０が、その頂部に取り付けられる。このフランジ４０は、図７Ａ〜図７Ｄに関連して以下に述べるように、主パイプ３８の対応するフランジ部分４２を拘束するシール締結用として構成される。
【００４６】
しかし、ハウジング３０は、さらに、いくつかのシール可能な開口４６（図１にも明確にみられる）を有するように構成される。前記開口４６はカバー部材５１（図２Ａにおいては１つのみが示されており、他の場所からは図示のために取り除かれている）を含み、そのカバー部材５１は、再開放およびシール方式における閉止用として構成され、それによって、以下に述べるようにろ過システムの保守作業を容易にする。開口４６の閉止部材は、例えば、ボルトまたは他の緊締機構によって嵌合接合されるフランジ付きカバー部材とすることができる。
【００４７】
主パイプ３８は内部空間４９を画定する中空パイプであり、図３および図６に関して以下に詳述するように、複数のフィルタユニット継手５２を有するように構成される。主パイプの底部部分５４は、ハウジング３０の底部部分における対応する受入れ部分５６とシール係合するように、但しシール方式で固定かつ取り外し可能に固定されるように構成される。これについては、以下に図６Ａ〜図６Ｇを参照して詳述する。ろ過システム１０の組み立ては、主パイプ３８を、例えば昇降用フック５８（例えば図２Ａに示す。フック５８はカバーに固定してもよいし、取り外し可能に取り付けてもよい）によって昇降させることによって行われる。これによって、主パイプ３８がハウジング３０の開口３６の上部にセットされ、続いて、主パイプ３８がハウジング３０の受入れ部分５６に達するまでハウジングの中にゆっくり降ろされる（図２Ｂ）。ハウジング３０の受入れ部分５６は、以下に述べるシール方式で主パイプ３８を拘束する。
【００４８】
主パイプ３８のハウジング３０の中への挿入は、ハウジングの内張り層３１に対する損傷を避けるように注意深く行われる。前記内張り層３１は、ハウジング内面の腐食を避けるためにハウジング内面の被覆用として設けられるものである。内張りは、ゴム材料、塗料または他のポリウレタンのような適切な材料層などから構成することができる。内張りは、必要に応じて、接着、または成形、または塗布、あるいはそれ以外の方法で装着および処理することが可能である。
【００４９】
主パイプ３８がハウジング３０の内部に完全に受け入れられ、底部部分５４がハウジングの受入れ部分５６の内部に受け入れられると、主パイプ３８のフランジ部分４２が、ハウジングのネック部分３４の対応するフランジ部分４０の上部に載り、それによって、主パイプ３８が、以下に述べるように所定位置に締結される。
【００５０】
しかし、ろ過システム１０を組み立てるには、さらに、主パイプ３８に設けられる継手５２の上に複数のフィルタユニット６０を取り付けることが必要である。主パイプ３８へのフィルタユニット６０の装着は、図４の矢印６２および６４によって模式的に表現されるように、主パイプ３８を、次のような態様において僅かに上昇させかつゆっくり回転させることによって行われる。すなわち、継手５２が、それぞれ若干分だけ軸方向変位または角度変位することによって、ハウジングの当該開口４６の向かい側に広がり、それによって、それぞれのフィルタユニット６０の保守作業、すなわち、図８〜図１２を参照して以下に詳述するように主パイプ３８へのフィルタユニット６０の固定取り付けが可能になるような態様で行われる。主パイプ３８がそれぞれ若干分だけ位置変化する場合、１つ以上のフィルタユニット６０をその時点で保守作業し得ること、あるいは、開口４６の位置、サイズおよび個数に応じて、数個のフィルタユニット６０をその時点で保守作業し得る（図２Ｆ）ことが分かる。但し、この場合は複数の作業員が必要になることがある。主パイプの上昇および回転は、例えば、図１３Ａおよび図１３Ｂに関連して以下に述べる操作装置によって簡単化することができる。
【００５１】
その操作装置は、主パイプの底部部分５４をハウジング３０の受入れ部分５６から取り外すために、主パイプ３８を単に数ｃｍだけ上昇させる必要があるというものである。これによって、主パイプのその縦軸の回りの回転が容易になり、システムに装着されるフィルタユニット６０の有無に関わらずシステムをメンテナンスおよび保守作業（例えばフィルタユニット６０の取り付け／取り外しなど）できるようになる。主パイプ３８の回転は、その縦軸の回りに１回以上の完全３６０°操作とすることができるし、あるいは、主パイプの回りのフィルタユニット６０および保守作業用開口４６の形状および分布に応じて、数回の往復角度変位とすることができる。
【００５２】
図５はろ過プロセスを表現している。このろ過プロセスにおいては、原流体が原流体流入ポート１４からハウジング３０内部の空間１７の中に流入し、それによって、流体はろ過ユニット６０を強制的に通され、従って、流体は、主パイプ３８内部の制限された空間４９の中に流入する際にろ過され、ろ過された流体はろ過流体流出ポート１８から流出する。しかし、すでに述べたように、別の形態（図示されていない）によれば、各流入ポートおよび流出ポートは１つ以上の機能用として用いることができる。例えば、この構成を、原流体の流入ポート１４がろ過流体の流出ポートとして機能し、ろ過流体流出ポート１８が原流体の流入ポートとして機能するように逆転させることが可能である。同様に、廃水／リンス液流出ポートとして機能する別の開口を設けることができる（図示されていない）。
【００５３】
ここで、図６Ａ〜図６Ｇを参照すると、主パイプ３８の底部部分５４を、ハウジング３０の受入れ部分５６にシール方式であるが取り外し可能にいかにして固定するかの方法を示す異なる例が示されている。
【００５４】
図６Ａにおいては、主パイプ３８の底部部分５４Ａを、ハウジング３０の受入れ部分５６Ａにシール方式で固定する第１例が示されている。この例においては、シート部材７０が、ハウジング３０の底部部分において固定して受け入れられる。このシート部材７０はその軸方向部分７２を備えており、この軸方向部分７２は、環状に側方に突き出る複数の締結歯７２（拡大部分参照）であって、ハウジング３０の管状部分２１の内部において弾力のある被膜層３１とシール係合する締結歯７２を有するように構成される。シール係合を得るために、被膜層３１は、締結歯７２が弾力のある被膜層とシール係合するのを可能にするように、最小厚さと弾性とを有するように構成されるべきである。
【００５５】
シート部材７０は、さらに、上向きに延びる環状部分７６であって、主パイプ３８の底部部分５４Ａをシール方式で支持するように構成される環状部分７６を有するように構成される。この場合、シール用のＯリング７８が、底部部分５４Ａに形成されるそれぞれの溝８０の内部に受け入れられる。この構成においては、主パイプ３８が環状部分７６によってシール方式で受け入れられかつ支持される態様において、主パイプ３８が環状部分７６の中に軸方向変位する。環状部分７６の内側の頂端部は、主パイプ３８の底部の端部５４Ａの円滑な挿入を容易にするために、面取りするか、あるいは適切な半径を有し得ることが理解される。
【００５６】
図６Ｂに示す構成は、図６Ａの構成に類似しているが、接着剤８２が、シート部材の下方突出し部７０Ａに形成される開口８４から追加して塗布されており、従って、シート部材７０がハウジング３０の管状部分２１の内部に確実に固定される。接着剤は、成分混合後に硬化する２成分以上の材料、その他とすることができる。
【００５７】
図６Ｃにおいては、主パイプ３８の底部部分５４Ｃが、通常８８における溶接によって主パイプ３８と一体化されるアダプタ部分８６を有するように構成される。前記アダプタ部分８６は、ハウジング３０の環状部分２１の中に突き出る下向きの延長部分８９と、側方張出し部分９０とを有するように構成される。この側方張出し部分９０は、弾力のある内張り３１の上部にシール方式で当接する１対の耐水シール９１を有するように構成される。下向きの突出し部分８９は、環状部分２１の内部に支持され、主パイプ３８がハウジング３０の内部で動くのを防止する。
【００５８】
図６Ｄに示す構成においては、主パイプ３８が、その底部の端部において、下向きの突出し部９３および環状の側方張出し部９５を有する底部部分５４Ｄと一体化される。この場合、環状の突出し部の形態の受入れ部分５６Ｄがハウジング３０の底面から上向きに延びており、さらに、上向きの突出し部５６Ｄの内面にシール用ガスケット（Ｏリング５９）が受け入れられ、これによって、底部部分５４Ｄが、受入れ部分５６Ｄによってシール方式で拘束されるように構成される。底部部分５４Ｄは、主パイプ３８の底面において溶接される。
【００５９】
上向きに突き出る受入れ部分５６Ｄは、通常ハウジング３０の底部部分に溶接される。環状の張出し部９５は、ハウジング内部におけるハウジング３０の下方への変位を制限するために、受入れ部分５６Ｄの頂面に載るように構成される。
【００６０】
ここで図６Ｅを参照すると、主パイプ３８の底部部分５４Ｅがほぼ直線状でかつ連続している形態が示されている。但し、この例においては、主パイプ３８の底部最外側の端部５７は、上向きに延びる環状の受入れ部分５６Ｅの中への主パイプ３８の円滑な挿入を容易にするために、面取りするか、あるいは半径を有するように構成される。この受入れ部分５６Ｅは、ハウジング３０の底面から延びており、溶接によって底面に固定される。主パイプ３８の底部部分５４Ｅは、受入れ部材５６Ｅとのシール係合を容易にするために、環状の溝６１の内部に受け入れられるシール用ガスケット（Ｏリング）を有するように構成されることが注記される。
【００６１】
図６Ｆに示す形態は図６Ｅの形態に類似しているが、シール用ガスケット、すなわちＯリング５９Ａが、ハウジング３０の底面に溶接される上向きに延びる受入れ部分５６Ｆに構成されるそれぞれの溝６１Ａの内部に受け入れられるという点で異なっている。
【００６２】
図６Ｇは、ハウジングの環状のネック部分２１の中への主パイプ３８の挿入を容易にするために、主パイプ３８が、連続したものであると共に、面取りされた底部最外側の端部５７Ａを含む構成を示す。この場合、さらに、主パイプ３８の底部部分５４Ｇに形成される環状の溝６１Ｃの内部に受け入れられるシール用ガスケット（Ｏリング）５９Ｃであって、受入れ部分を構成する内面５６Ｇに対してシール方式で当接するように構成されるシール用ガスケット５９Ｃが設けられる。
【００６３】
ここで、図７Ａ〜図７Ｄを参照すると、主パイプ３８の頂端部をハウジング３０の頂端部にどのように固定取り付けするか、しかもハウジング３０内部の内張り被膜３１に影響を及ぼすことなくどのように固定取り付けするかを示す異なる形態が表現されている。
【００６４】
図７Ａにおいては、主パイプ３８の頂端部３９Ａが、例えばボルト４３によってフランジ付きカバー４２Ａに固定して取り付けられ（あるいは、図示されていない別の形態によれば主パイプ３８と一体的に製造することができる）、それによって、フランジ付きプレート４２Ａは、ハウジング３０のネック部分３４の上部に延びるフランジ部分４０に固定して連結されるように構成される。その場合、２つのフランジ部分４０および４２Ａの間に延びる内張り３１はシール目的用として設けられる。
【００６５】
図７Ｂにおいては、主パイプ３８の頂端部３９Ｂが、側方の肩部４５を有するように構成され、その肩部４５の上に、カバープレート４２Ｂがボルト４３によって固定され、それによって、カバープレート４２Ｂが、ネック部分３４から延びるフランジ部分４０に固定連結するためのフランジになり、またそれによって、肩部部分４５が、フランジ部分４０の上部に側方に延びる内張り部分３１にシール方式で当接する。
【００６６】
図７Ｃにおいては、主パイプ３８が、適切な環状の溝の中に納められるシール用ガスケット４１を具備するカバー３７によってシールされ、さらに、主パイプ３８の頂部カバー３７をシール方式で受け入れる中心位置決めプレート部材３９Ｃが設けられる。かつ、さらに、頂部プレート４２Ｃが設けられ、その頂部プレート４２Ｃは、頂部ネック３４のフランジ部分４０と固定連結係合するように構成される。この場合、頂部カバー３９Ｃが、フランジ部分４０の上部に側方に延びる内張り層３１にシール方式で当接する。
【００６７】
図７Ｄの例は、図７Ｃの例に類似しているが、頂部プレート４２Ｄが頂部カバー３９Ｄと一体化され、それによって、そのアセンブリが主パイプ３８の頂部プレート３７の上部に装着される時に、それを固定する前に空気を逃がすように排気ポート４７を設ける必要が生じるという点が異なっている。排気ポート４７は任意選択であり、他の例、例えば図示されていないが図７Ｃの例にも適用できる。
【００６８】
フィルタユニット１００を主パイプ３８に固定するには複数の機構を用いることができる。
【００６９】
図８Ａは、一般的に円筒形のフィルタユニット１００が、一般的に円筒形のフィルタ基部１２０と部分的に係合した状態の断面図を示す。フィルタユニット１００およびフィルタ基部１２０の両者は、単一の縦軸に沿って軸方向に同心に配列されている。フィルタユニット１００はフィルタ脊柱体１０２を含み、このフィルタ脊柱体１０２はそれを包囲するフィルタ要素１０４を備えている。フィルタユニット１００は、さらに、その連結端部の近傍において、その下端に、フィルタ脊柱体１０２から外向きに突き出るリングによって形成される肩部セグメント１０８を含み、さらに、肩部セグメント１０８の下側に延びる外ネジ加工されたセグメント１０６であって、フィルタ脊柱体１２２の半径より僅かに大きい内半径を有するセグメント１０６を含む。このセグメント１０６の脊柱体１０２の半径より僅かに大きい内半径は、フィルタ脊柱体１０２の内半径に等しい内半径を有するシール支持リング１１０の挿入を可能にするためのものである。シール支持リング１１０の底部の外端部には、シール１１３を位置決めするために周囲溝１１２が形成される。フィルタ基部１２０は、リング状に成形され、本体セグメント１２２と、内ネジ加工された本体の位置決めセグメント１２４とを含む。本体セグメント１２２はネジ加工されたセグメント１２４より小さい内半径を有し、内ネジ加工されたセグメント１２４を超えて中心軸に向かう本体部分１２２の一部の延長部によって、シート１２６が形成される。フィルタユニット１００は、外ネジ加工された壁面セグメント１０６を内ネジ加工されたセグメント１２４の中にネジ込むことによって、フィルタ基部１２０に結合することができる。
【００７０】
図８Ｂは、完全に固定された状態の図８Ａの機構を示す。この状態においては、フィルタユニット１００がフィルタ基部１２０の中にネジ込まれているが、そのネジ込みは、肩部セグメント１０８が内ネジ加工されたセグメント１２４の上面（本体の肩部）に接触し、かつ、外ネジ加工されたセグメント１０６およびシール支持リング１１０の底面がフィルタ基部のシート１２６に接触し、従ってどのようなさらなる緊締も制限されるものの、シール１１３が結合部において機械的シールを提供するという状態に至るまで行われる。ネジ結合は、接着剤または他の形態の接合剤によって、さらに固定することができる。
【００７１】
支持リングは、連結位置におけるシール接触を改善するために比較的柔らかい材料製とすることができ、また、面接触を改善するために平滑な表面を有するように構成できることが理解される。これによって、シールの構成が冗長化される。
【００７２】
機械的な緊締手段を有する他の機構も、フィルタユニット１００の結合に利用することができる。一例として、図９Ａが、フィルタ基部２２０と部分的に係合した状態のフィルタユニット１００の断面図を示す。この例においては、内ネジ加工されたセグメント２２４が円錐形の外壁面２２５を含み、円錐形の緊締リング２３０がその外壁面２２５の上に載る。フィルタユニット１００の外ネジ加工されたセグメント１０６が、フィルタ基部２２０の内ネジ加工されたセグメント２２４の中に、図９Ｂに見るような完全固定位置に達するまでネジ込まれる。フィルタユニット１００が軸方向に動く間、肩部セグメント１０８が、円錐形の緊締リング２３０を押し込んで、緊締リング２３０を円錐形状の外壁面２２５に対して強制的に摺動させる。その結果、円錐形の緊締リング２３０が僅かに拡大して、内ネジ加工されたセグメント２２４に対して、半径方向の内向きに圧縮力の成分Ｆ１が印加され、それによって、フィルタユニット１００およびフィルタ基部２２０の間のネジ結合が緊締される。
【００７３】
フィルタユニット１００をフィルタ基部３２０に固定するための図１０Ａに示す別の機構においては、フィルタ基部３２０が、本体部分３２２と、図８Ａのネジ加工されたセグメント１２４に類似の内ネジ加工されたセグメント３２４とを含むが、図１０Ａの機構においては、図１０Ｃに見られるように、ネジ加工されたセグメント３２４に締結ピンスロット３２１が切り込まれる。フィルタ基部３２０は、さらに、傾斜した基部壁面３２７を有する上部締結ピン位置決めセグメント３２８を含む。締結リング３３０（図１０Ｄに底面図が見られる）は、リングセグメント３３５と、リングセグメント３３５に結合されかつ半径方向の内向きに延びる締結ピン３３１とを含む。締結ピン３３１は、傾斜した内壁面３３２（図１０Ｂ）を有し、かつ、締結リング３３０がフィルタ基部３２０の上に載せられた時に、締結ピン３３１が締結ピンスロット３２１の中に嵌入して、傾斜壁面３３２の下部部分が基部の傾斜壁面３２７の上部部分の上に載るように位置決めされる。図１０Ａは、フィルタ要素１００とフィルタ基部３２０との、そのそれぞれのネジによる初期の係合を示している。フィルタユニット１００は、続いて、図１０Ｂに示す固定状態にネジ込まれる。フィルタユニット１００がネジ込まれるにつれて、肩部セグメント１０８が、締結ピン３３１を、フィルタユニット１００と同じ方向に沿って軸方向に押し込み、これによって、傾斜壁面３３２を基部の傾斜壁面３２７に沿って強制的に摺動させ、締結ピン３３１の位置において、ネジ加工された壁面１０６に力の成分Ｆ２が印加される。この例においては、４個の締結ピン３３１が示されている。この例は、図示される個数に制限されるものではなく、任意の個数を適切に決定し得ることが理解されるべきである。
【００７４】
図１１Ａに示すさらに別の機械的緊締機構においては、フィルタユニット１００がフィルタ基部４２０と部分的に係合した状態の縦断面図を示す。このフィルタ基部４２０は、本体セグメント４２２と、円錐形の壁面４２５を有する上部セグメント４２４とを含む。内ネジ加工された円錐形のリング４３０がフィルタ基部のシート４２６の上に載る。フィルタユニット１００は、方向Ｄ１において軸方向に動き、内ネジ加工された円錐形リング４３０の中にネジ込まれる。この円錐形リング４３０は、この初期係合の間、フィルタ基部のシート４２６の上に載ったままである。ピン４４０が、このネジ込み過程の間に内ネジ加工された円錐形リング４３０が回転するのを防止する。方向Ｄ１におけるフィルタユニットの軸方向の動きは、ネジ込みの間、外ネジ加工された壁面１０６およびシール支持リング１１０の底面がフィルタ基部のシート４２６と接触して、フィルタユニット１００が方向Ｄ１に沿ってさらに動くことがなくなるまで継続する。図１１Ｂは完全に固定された状態を示すが、この状態においては、フィルタユニット１００の連続ネジ込みによって、円錐形リング４３０が方向Ｄ２に動き、円錐形リング４３０は円錐形の壁面４２５に沿って摺動するにつれて圧縮されることになる。半径方向に内向きのこの圧縮力の成分Ｆ４が、フィルタユニット１００およびフィルタ基部４２０の間のネジ結合を緊締する。
【００７５】
図１２Ａは、フィルタユニット１００をフィルタ基部５２０に結合する機構の、部分的に係合した状態における別の断面図を示す。フィルタ基部５２０は、本体セグメント５２２およびフィルタ基部のシート５２６を含む。この機構においては、円筒形のアンカー５５０が、フィルタユニット１００およびフィルタ基部５２０の間の中間的な固定要素として用いられる。円筒形アンカー５５０は、肩部５５３を有するリング状の本体５５２と、円錐形の外側壁面５５５を有する内ネジ加工された上部壁面セグメント５５４と、アーチ状のスプリングの歯５５７とを含む。このスプリングの歯５５７は、非圧縮状態においては、半径方向の内側に曲げられている。円筒形アンカー５５０は、フィルタ基部５２０の内部において、肩部５５３がフィルタ基部のシート５２６の上に載り、アーチ状のスプリングの歯５５７が本体セグメント５２２の内側の壁面の内部に納まるように配置される。
【００７６】
この例においては、４個のアーチ状のスプリングの歯５５７（断面において２つ）が示されているが、個数は図示の例に制限されない。場合によっては、前記の図９Ａおよび図９Ｂにおいて示したように、ネジ加工されたセグメントを付加的に機械的に緊締するために、外側の円錐形の壁面５５５の形状に合致する円錐形の外側の支持リング５３０が、壁面セグメント５５４の回りに任意選択的に装着される。フィルタユニット１００には、円筒形のインサート５１０が堅固に結合される。この円筒形のインサート５１０は、上部溝５１２内にシール５１３を位置決めするための上部溝５１２を有する上部リング５１１と、下部円筒部５１５とを含む。上部リング５１１は、フィルタユニット１００の内側の円筒部を流過する流体に対して最適の流れの移行部を提供するために、円錐形状の内壁面５１４を有することができる。さらに追加的に、下部円筒部５１５の外端部はテーパ化された壁面５１６を有する。
【００７７】
図１２Ａの部分的に係合した状態において、フィルタユニット１００はネジ加工された壁面セグメント５５４の中にネジ込まれ、同時に、下部円筒部５１５が円筒形アンカー５５０の中に差し込まれ、テーパ化された壁面５１６がアーチ状のスプリングの歯５５７と係合する。フィルタユニット１００が図１２Ｂに見られる完全固定状態にネジ込まれるにつれて、アーチ状のスプリングの歯５５７が、下部円筒部５１５によって直線位置に曲げられる。スプリングの歯５５７を半径方向の外向きに圧縮することによって、下部円筒部５１５に内向きの力が印加され、これによって、円筒形のインサート５１０および堅固に結合されたフィルタユニット１００が安全な状態に固定される。
【００７８】
ここで図１３Ａおよび図１３Ｂを参照すると、全体として符号５５０で示される操作工具が表現されている。これは、ろ過システム１０の主パイプ３８の操作であって前記の態様に関連して開示された操作に用いるように、すなわち、主パイプ３８の底部部分５４をハウジング３０の受入れ部分５６から取り外すために、主パイプを単に数ｃｍだけ上昇させるのに用いるように構成される。これによって、主パイプをその縦軸の回りに容易に回転できるようになり、システムのメンテナンスおよび保守作業が容易になる。
【００７９】
装置５５０は数本（図の例においては３本）の脚５５２を含む。この脚５５２は、その下端部に、ハウジング３０の頂面５５６の上に載るように構成される支持パッド５５４を具備している。支持脚５５２の頂部には、中心に位置するネジ加工された穿孔５６４を備えた剛性プレート５６０が広がっている。このネジ加工された穿孔５６４は、レバー５７２および操作ハンドル５７６を含むネジ加工されたクランク５７０を受け入れる。ネジ加工された部分５７８の底部には、カバー４２のフック５８に連結するように構成される昇降用フック５８２が設けられる。この場合、主パイプの軸方向変位を容易化するが、ハウジング３０の受入れ部分５６から取り外されるまで主パイプの回転を防止するように構成される相互連結用の二重フック５８６が設けられる。
【００８０】
この構成は、操作装置５５０をハウジング３０の上部にセットし、主パイプ３８の頂部カバー４２をネジ加工された部分５７８に（二重フック５８６を介して）連結して、クランクを矢印ライン５８８によって示すように回転させると、ネジ加工された部分がプレート５６０に対して軸方向に変位し、主パイプ３８を、それぞれ、軸方向にゆっくり動かすように作用する。操作装置５５０によって一旦持ち上げられると、主パイプ３８は、手動で容易に角度変位させることができる。
【００８１】
主パイプ３８は、そのすべてのフィルタユニットを保守作業する必要に応じて操作（上昇および回転）され、続いて、主パイプ３８は、クランク５７０を逆方向に回して、その固定運転位置に降ろされる。その固定運転位置においては、主パイプ３８はハウジング３０の受入れ部分５６の中に拘束される。
【図１】
2013545609.tif 000003
【図２Ａ】
2013545609.tif 000004
【図２Ｂ】
2013545609.tif 000005
【図２Ｃ】
2013545609.tif 000006
【図２Ｄ】
2013545609.tif 000007
【図２Ｅ】
2013545609.tif 000008
【図２Ｆ】
2013545609.tif 000009
【図３】
2013545609.tif 000010
【図４】
2013545609.tif 000011
【図５】
2013545609.tif 000012
【図６Ａ】
2013545609.tif 000013
【図６Ｂ】
2013545609.tif 000014
【図６Ｃ】
2013545609.tif 000015
【図６Ｄ】
2013545609.tif 000016
【図６Ｅ】
2013545609.tif 000017
【図６Ｆ】
2013545609.tif 000018
【図６Ｇ】
2013545609.tif 000019
【図７Ａ】
2013545609.tif 000020
【図７Ｂ】
2013545609.tif 000021
【図７Ｃ】
2013545609.tif 000022
【図７Ｄ】
2013545609.tif 000023
【図８Ａ】
2013545609.tif 000024
【図８Ｂ】
2013545609.tif 000025
【図９Ａ】
2013545609.tif 000026
【図９Ｂ】
2013545609.tif 000027
【図１０Ａ】
2013545609.tif 000028
【図１０Ｂ】
2013545609.tif 000029
【図１０Ｃ】
2013545609.tif 000030
【図１０Ｄ】
2013545609.tif 000031
【図１１Ａ】
2013545609.tif 000032
【図１１Ｂ】
2013545609.tif 000033
【図１２Ａ】
2013545609.tif 000034
【図１２Ｂ】
2013545609.tif 000035
【図１３Ａ】
2013545609.tif 000036
【図１３Ｂ】
2013545609.tif 000037
【国際調査報告】
2013545609.tif 000038
2013545609.tif 000039
2013545609.tif 000040
2013545609.tif 000041
2013545609.tif 000042